(57)【要約】【課題】鳥類の飛来を防止する線材を、笠木の上部に簡便に設けることができる鳥類飛来防止用笠木カバーを提供する。【解決手段】笠木６に外嵌するカバー本体13と、このカバー本体13に設けられ、笠木６の上部に配置する線材18を取り付ける線材取付部15とを備える。カバー本体13を笠木６に外嵌して複数の笠木カバー13を笠木６に取り付け、それらの線材取付部15に線材18を取り付けることにより、笠木６の上部に、鳥類の飛来を防止する線材18を、簡便に設けることができる。また、笠木６の継ぎ目11を覆う笠木カバー13を兼用することにより、新設或いは既設の笠木６であっても、簡便に設けることができる。【選択図】図１
2007231639.tif 000002
【特許請求の範囲】
【請求項１】
笠木に外嵌するカバー本体と、このカバー本体に設けられ、前記笠木の上部に配置する線材を取り付ける線材取付部とを備えることを特徴とする鳥類飛来防止用笠木カバー。
【請求項２】
前記線材取付部には、前記線材を挿通する複数の切欠き溝が設けられていることを特徴とする請求項１記載の鳥類飛来防止用笠木カバー。
【請求項３】
前記カバー本体を前記笠木に外嵌して複数の前記笠木カバーを該笠木の長さ方向に間隔を置いて複数配置し、それら笠木カバーの前記線材取付部に線材を取り付けて前記笠木の上部に線材を配置し、前記複数の笠木カバーの少なくとも１つが前記笠木の継ぎ目に設けられていることを特徴とする請求項１又は２記載の笠木カバーを用いた笠木。
【発明の詳細な説明】
【技術分野】
【０００１】
本発明は、笠木の上部に線材を配置して鳩などの鳥類の飛来を防止する鳥類飛来防止用笠木カバーとこれを用いた笠木に関する。
【背景技術】
【０００２】
マンションのベランダや屋上などには、鳩などの鳥類が飛来し、糞をしたり、巣を作ったりする鳥害が発生する。そして、鳩などの鳥類は、まず、ベランダの手摺の笠木の上に止まったり、パラペット笠木の上に止まったりし、ここからベランダなどの内部の様子を窺い、人が不在であることを確認してからベランダ内に入って鳥害を及ぼす。
【０００３】
したがって、笠木の上に鳥類が飛来することを防止できれば、鳥害を未然に防ぐことができる。
【０００４】
そこで、鳩等の鳥が止まりに来易い対象部位に、空中を飛んでいた前記鳥が舞降りるのを阻止する方法であって、複数の掛止片を突出配置した支持棒を、前記対象部位を挟んで対向的に配設し、極細で長尺の紐状材を、前記掛止片に順次掛止させながら前記対向し合う支持棒の間に張設することにより、前記紐状材によるバリヤを前記対象部位に近接して張り巡らせ、これにより前記対象部位へ鳥が舞降りるのを阻止するようにした鳥の舞降り阻止方法が提案され、ベランダの上面における両端部近傍に取付板を取着することにより、該上面を挟んで略垂直に立設した対向状態に支持棒を配設する。そして、各支持棒のヒートンに前記紐状材を掛止しながら数回に亘って交互に張設することにより、該紐状材による略垂直のバリヤを上面の上方に張り巡らせる（例えば、特許文献１及び特許文献２）ことが提案されている。
【特許文献１】特開平１１−１８６６６号公報（図７）
【特許文献２】特開２００６−１４６７８号公報
【発明の開示】
【発明が解決しようとする課題】
【０００５】
上記特許文献１では、コンクリートなどからなるベランダ躯体の上面に、ビスなどを用いて取付板を取着するため、取付作業に伴う現場工事が煩雑になり、簡単に設けることができない、という問題がある。
【０００６】
そこで、本発明は、このような問題を解決しようとするもので、鳥類の飛来を防止する線材を、笠木の上部に簡便に設けることができる鳥類飛来防止用笠木カバーとこれを用いた笠木を提供することを目的とする。
【課題を解決するための手段】
【０００７】
請求項１の発明は、笠木に外嵌するカバー本体と、このカバー本体に設けられ、前記笠木の上部に配置する線材を取り付ける線材取付部とを備えるものである。
【０００８】
また、請求項２の発明は、前記線材取付部には、前記線材を挿通する複数の切欠き溝が設けられているものである。
【０００９】
また、請求項３の発明は、前記カバー本体を前記笠木に外嵌して複数の前記笠木カバーを該笠木の長さ方向に間隔を置いて複数配置し、それら笠木カバーの前記線材取付部に線材を取り付けて前記笠木の上部に線材を配置し、前記複数の笠木カバーの少なくとも１つが前記笠木の継ぎ目に設けられているものである。
【発明の効果】
【００１０】
請求項１の発明によれば、カバー本体を笠木に外嵌して複数の笠木カバーを笠木に取り付け、それらの線材取付部に線材を取り付けることにより、笠木の上部に鳥類の飛来を防止する線材を、簡便に設けることができる。
【００１１】
また、請求項２の発明によれば、線材を長さ方向端部から孔に挿通する必要がなく、切欠き溝に線材を挿通し、巻き付けるなどして、線材取付部に線材を簡単に取り付けることができる。
【００１２】
また、請求項３の発明によれば、笠木の継ぎ目を覆う笠木カバーを兼用することにより、新設或いは既設の笠木であっても、鳥類の飛来を防止する線材を、簡便に設けることができる。
【発明を実施するための最良の形態】
【００１３】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な鳥類飛来防止用笠木カバーを採用することにより、従来にない鳥類飛来防止用笠木カバーとこれを用いた笠木が得られ、その鳥類飛来防止用笠木カバーとこれを用いた笠木を夫々記述する。
【実施例１】
【００１４】
以下、本発明の手摺を添付図面を参照して説明する。図１〜図６は、本発明の実施例１を示し、同図に示すように、建物には、コンクリートからなるベランダ躯体１が設けられ、このベランダ躯体１の外側には垂壁部２が設けられ、この垂壁部２の上面３に、アルミニウム、ステンレス鋼材などからなる手摺４が設けられている。
【００１５】
この手摺４は、前記垂壁部２の上面３に、複数の支柱５，５…を、間隔を置いて立設し、これら支柱５，５…の上部に笠木６を横設してなる。この笠木６は、板状をなす底桟７と、この底桟７の上に取り付けられる笠木本体８とを備え、この笠木本体８は下方が開口した略Ｃ字型の断面をなす。前記底桟７には、その幅方向両側に係合受部９，９が一体に突設され、前記笠木本体８には、その幅方向両側に前記係合受部９，９に弾発的に係合する係合部10が形成されており、前記底桟７の上方から前記笠木本体８を外嵌するようにして前記係合受部９に前記係合部10を係止することにより、前記底桟７に笠木本体８を固定できるようになっている。尚、前記底桟７はビス（図示せず）などにより前記支柱５に固定される。
【００１６】
また、前記笠木本体８には、継ぎ目11が設けられ、この継ぎ目11には、笠木本体８，８の長さ方向端部８Ｔ，８Ｔを突き合わせた箇所であり、必要に応じて前記端部８Ｔ，８Ｔ間に隙間を設けて継ぎ目11とすることができ、該継ぎ目11により、笠木本体８の熱による伸張収縮を吸収することができる。
【００１７】
笠木カバー12は、前記笠木６に外嵌するカバー本体13を備え、このカバー本体13は、前記笠木本体８とほぼ相似形をなす略Ｃ字状をなし、その両下側部には前記笠木６の両側下部に係止する係止部14，14を形成し、これら係止部14，14の下端14Ａ，14Ａは前記笠木６の底桟７の両側下面に係止する。また、前記カバー本体13は、幅が４センチ程度の帯板を屈曲した形状をなす。
【００１８】
前記笠木カバー12は、前記カバー本体13の上部中央に、略方形の板片状の線材取付部15を一体に突設して備え、この線材取付部15は、その厚さ方向をカバー本体13の長さ方向に合わせ、その線材取付部15には、その上縁15Ｕ中央に縦方向の切欠き溝16を形成し、その左右側縁15Ｓ，15Ｓにそれぞれ横方向の切欠き溝17，17を形成し、これら切欠き溝17，17はほぼ同一高さ位置であり、また、前記切欠き溝16の底部16Ａは略円形に形成され、該底部16Ａは前記切欠き溝17，17の底部より上方に位置する。そして、前記線材取付部15に、線材18が取り付けられ、この線材18としては、金属製のワイヤや釣り糸として使用されるナイロン製などの糸が例示される。
【００１９】
尚、前記笠木カバー12は、合成樹脂や、アルミニウム，アルミニウム合金など各種の材質のものから形成される。
【００２０】
次に、前記笠木カバー12の使用方法につき説明すると、カバー本体13の係止部14，14を広げ、上から笠木６に外嵌し、係止部14，14を前記笠木６の両側下部に係止して取付固定する。このようにして複数の笠木カバー12を、例えば１メートル間隔で笠木６に取り付け、その内の少なくとも１つは前記継ぎ目11位置を跨いで両側の笠木６，６に外嵌固定する。
【００２１】
そして、図５に示すように、線材18を切欠き溝16の底部16Ａに挿入し、線材18の一側を一方の縁側に回して該一方の縁側の切欠き溝17に挿通し、この切欠き溝17に挿通した後、線材18の一側を前記切欠き溝16の底部16Ａに逆向きに挿通し（図５（Ａ））、この逆向きの線材18の一端を今度は逆に他方の縁側に回して該他方の縁側の切欠き溝17に挿通し、この切欠き溝17に挿通した後、線材18の一側を前記切欠き溝16の底部16Ａに挿通し（図５（Ｂ））、このように線材18を、切欠き溝16，17，17に挿通すると共に、線材取付部15に巻き付けて固定状態で挿通する。尚、図示しないが長さ方向端部に位置する笠木カバー12においては、線材18の端部をその線材取付部15に固定する。
【００２２】
このように笠木６の上方に線材18を配置すると、例えば鳩などは、細い前記線材18上に止まることはできず、笠木６の上に止まろうとしても、羽などが線材18に当るため、鳥の飛来を防止できる。
【００２３】
このように本実施例では、請求項１に対応して、笠木６に外嵌するカバー本体13と、このカバー本体13に設けられ、笠木６の上部に配置する線材18を取り付ける線材取付部15とを備えるから、カバー本体13を笠木に外嵌して複数の笠木カバー13を笠木６に取り付け、それらの線材取付部15に線材18を取り付けることにより、笠木６の上部に、鳥類の飛来を防止する線材18を、簡便に設けることができる。
【００２４】
また、このように本実施例では、請求項２に対応して、線材取付部15には、線材18を挿通する複数の切欠き溝16，17，17が設けられているから、線材18を長さ方向端部から孔に挿通する必要がなく、切欠き溝16，17，17に線材18を挿通し、巻き付けるなどして、線材取付部15に線材18を簡単に取り付けることができる。
【００２５】
また、このように本実施例では、請求項３に対応して、カバー本体13を笠木６に外嵌して複数の笠木カバー13を該笠木６の長さ方向に間隔を置いて複数配置し、それら笠木カバー13の線材取付部15に線材18を取り付けて笠木６の上部に線材18を配置し、複数の笠木カバー13の少なくとも１つが笠木６の継ぎ目11に設けられているから、笠木６の継ぎ目11を覆う笠木カバー13を兼用することにより、新設或いは既設の笠木６であっても、鳥類の飛来を防止する線材18を、簡便に設けることができる。
【００２６】
また、実施例上の効果として、笠木カバー13は笠木６に外嵌固定され、ビスなどの固定手段が不要であるから、その取付を簡便に行うことができる。
【実施例２】
【００２７】
図７及び図８は、本発明の実施例２を示し、上記実施例１と同一部分に同一符号を付し、その詳細な説明を省略して詳述すると、同図は、パラペット20に用いる笠木21と、この笠木21に外嵌する笠木カバー12Ａを示し、パラペット20の上面たる天端面20Ｔに図示しないブラケットを固定し、このブラケットに外嵌して前記笠木21をパラペット20の天端に固定し、前記笠木21は上面部22と両側面部23，24とを有し、その上面部22は建物の外側寄りが高くなるように設けられ、この上面部22の外側に凸部22Ａを設けている。前記側面部23の下端内方には前記ブラケットの一側に係止する一側係止突起25を設け、一方、前記側面部24の下端内方には前記ブラケットの他側に係止する他側係止突起26を設ける。
【００２８】
隣り合う笠木21，21の間には前記継ぎ目11が設けられ、この継ぎ目11の下部には略コ字状の継ぎ目板（図示せず）が設けられ、この継ぎ目板はパラペット20に固定されている。
【００２９】
このように隣り合う笠木21，21の端部21Ｔ，21Ｔ間に該笠木21，21の伸び縮みを吸収する間隔を設けてなる継ぎ目11において、前記笠木カバー12Ａは前記継ぎ目11を覆うカバー本体13Ａを備える。
【００３０】
この笠木カバー12Ａのカバー本体13Ａは、前記笠木21とほぼ相似形をなす略コ字状をなし、前記笠木21に外嵌する上板部32と両側板部33，34とを一体に有し、その上板部32には前記凸部22Ａに対応して凸部32Ａが形成され、それら両側板部33，34には前記笠木21の側面部23，24の下端に係止する係止部33Ａ，34Ａをそれぞれ形成している。
【００３１】
また、前記カバー本体13Ａは、幅が４センチ程度の帯板の両側をそれぞれ下方に屈曲して前記側板部33，34を形成すると共に、これら側板部33，34の間に前記上板部32を形成し、さらに、上板部32の一側には前記凸部32Ａを屈曲形成し、かつそれら側板部33，34の下端側をそれぞれ内方に屈曲して前記係止部33Ａ，34Ａを形成している。
【００３２】
さらに、笠木21は前記カバー本体13Ａの略中央に前記線材取付部15を一体に設けている。
【００３３】
したがって、カバー本体13Ａの係止部33Ａ，34Ａを広げ、上から笠木21に外嵌し、係止部33Ａ，34Ａを前記笠木21の両側下部に係止して取付固定する。このようにして複数の笠木カバー12Ａを、例えば１メートル間隔で笠木21に取り付け、その内の少なくとも１つは前記継ぎ目11位置を跨いで両側の笠木21，21に外嵌固定する。
【００３４】
そして、上記実施例１と同様に、線材18を、切欠き溝16，17，17に挿通すると共に、線材取付部15に巻き付けて固定状態で挿通し、図示しないが長さ方向端部に位置する笠木カバー12においては、線材18の端部を線材取付部15に固定する。
【００３５】
このように本実施例では、請求項１〜３に対応して、上記実施例１と同様な作用・効果を奏し、また、この例のように、ベランダのパラペット20の笠木21に笠木カバー12Ａを設けてもよいし、或いは屋上のパラペット20の笠木21に笠木カバー12Ａを設けるようにしてもよい。
【実施例３】
【００３６】
図９は、本発明の実施例３を示し、上記各実施例と同一部分に同一符号を付し、その詳細な説明を省略して詳述すると、同図に示すように、41は建物の屋上の主基礎、42は屋上の端縁部で主基礎41上に所定間隔で突設された複数の独立基礎、43はアルミニウムなどからなる手摺である。前記独立基礎42は、例えばコンクリートブロックなどからなり、モルタルなどにより主基礎41上に固定される。前記手摺43は、前記各独立基礎42にそれぞれ下部が埋設されて固定された複数の支柱44を有しており、これら支柱44の裏側には図示しない控え柱が設けられている。この控え柱は、下端部が独立基礎42に埋設されて固定されているとともに、ほぼ水平に屈曲した上端部が前記支柱44の上部に固定されている。
【００３７】
このようにして独立基礎42に垂直に立設された支柱44の上端部上に、笠木46が水平に支持され、笠木46の端部46Ｔ，46Ｔには、継ぎ目11が設けられている。また、支柱44の下部は下横桟47により連結されている。また、前記支柱44，44間に位置して、前記笠木46と下横桟47との間には複数の縦桟48が設けられている。
【００３８】
そして、前記笠木カバー12のカバー本体13が前記笠木46に外嵌する。
【００３９】
したがって、カバー本体13の係止部14，14を広げ、上から笠木46に外嵌し、係止部14，14を前記笠木46の両側下部に係止して取付固定する。このようにして複数の笠木カバー12を、例えば１メートル間隔で笠木46に取り付け、その内の少なくとも１つは前記継ぎ目11位置を跨いで両側の笠木46，46に外嵌固定する。
【００４０】
そして、上記実施例１と同様に、線材18を、切欠き溝16，17，17に挿通すると共に、線材取付部15に巻き付けて固定状態で挿通し、図示しないが長さ方向端部に位置する笠木カバー12においては、線材18の端部を線材取付部15に固定する。
【００４１】
このように本実施例では、請求項１〜３に対応して、上記実施例１と同様な作用・効果を奏する。
【００４２】
以上、本発明の実施形態について詳述したが、本発明は前記各実施形態に限定されるものではなく、本発明の要旨の範囲内で種々の変形実施が可能である。例えば、線材取付部の形状は適宜選定可能である。
【図面の簡単な説明】
【００４３】
【図１】本発明の実施例１を示す笠木カバーを取り付けた笠木の正面図である。
【図２】同上、笠木カバーを取り付けた笠木の断面図である。
【図３】同上、笠木を設けた手摺の全体正面図である。
【図４】同上、線材取付部の側面図である。
【図５】同上、線材の取り付け方を説明する線材取付部の平面説明図である。
【図６】同上、バルコニーの断面図である。
【図７】本発明の実施例２を示す笠木カバーを取り付けたパラペット笠木の正面図である。
【図８】同上、笠木カバーを取り付けたパラペット笠木の断面図である。
【図９】本発明の実施例３を示す笠木を設けた手摺の全体正面図である。
【符号の説明】
【００４４】
６  笠木
11  継ぎ目
12，12Ａ  笠木カバー
13，13Ａ  カバー本体
15  線材取付部
16  切欠き溝
17  切欠き溝
21  笠木
46  笠木
【図１】
2007231639.tif 000003
【図２】
2007231639.tif 000004
【図３】
2007231639.tif 000005
【図４】
2007231639.tif 000006
【図５】
2007231639.tif 000007
【図６】
2007231639.tif 000008
【図７】
2007231639.tif 000009
【図８】
2007231639.tif 000010
【図９】
2007231639.tif 000011